(57)【要約】      （修正有） 【課題】  内容器の内壁と外壁を絞り込んだ口元を金属亀裂を生じさせることなく、しかも保温効果を向上させることができ、又、内容器の組立作業の手間を大きく減少させて、作業効率の良い電気湯沸かし器を提供する。【解決手段】  内容器３の内壁と外壁とを、共に口元に向けてなめらかに絞り込んで口元で接合し、口元上端より外側に向けて延びたフランジ部の外径が外壁の外径よりも小さい径とする一方、肩部材５の環状受部上にシールパッキンを介して載置し、環状受部上の蓋体６の覆板２３と下蓋２２と上蓋と下蓋との間の断熱材２５とが内容器３内へ大きく進入する構成としている。【選択図】   図１
2006102338.tif 000002
【特許請求の範囲】
【請求項１】
有底筒状で底部を一重壁、胴部を内壁（３ａ）と外壁（３ｂ）とで真空二重壁とし、口元を内側中央に向けて狭め口元より延びたフランジ部（３ｄ）を備える内容器（３）を設け、内容器（３）の底部外壁周りに固定するヒータ（７）を設け、内容器（３）の胴部を囲む外装ケース（２）を設け、外装ケース（２）の下端に内容器の底部を覆う底部材（４）を設け、外装ケース（２）の上端に内容器の上部を覆う肩部材（５）を設け、肩部材（５）の中央を上下に開口し、この中央開口を形成する周壁の下端に中央に向けて延びた環状受部（１０）を設け、肩部材（５）の上端に内容器の口元を開閉する上蓋（２１）と下蓋（２２）と覆板（２３）とを備える蓋体（６）を設けた電気湯沸かし器（１）に於いて、上記内容器（３）の内壁（３ａ）と外壁（３ｂ）とは、共に口元に向けてなめらかに絞り込んで口元で接合し、口元上端より外側に向けて延びたフランジ部（３ｄ）の外径が外壁（３ｂ）の外径よりも小さい径とする一方、肩部材（５）の環状受部（１０）上にシールパッキン（２０）を介して載置し、環状受部（１０）上の蓋体（６）の覆板（２３）と下蓋（２２）と上蓋（２１）と下蓋（２２）との間の断熱材（２５）とが内容器（３）内へ大きく進入することを特徴とした電気湯沸かし器。
【発明の詳細な説明】
【技術分野】
【０００１】
本発明は、金属製真空二重の内容器を有し、ヒータにて内容器内の液体を沸かし、保温する電気湯沸かし器に関するものである。
【背景技術】
【０００２】
従来、電気湯沸かし器としては、外装体に囲まれた金属製真空二重の内容器を設け、この内容器の底部のみを一重壁として、底部外壁にヒータを張設し、内容器内壁の口元を内側に極端に折り曲げて狭くした絞り込み部を設け、内壁と接触する外壁と共に口元の上端を外側へ向けて延ばしたフランジ部を設け、このフランジ部を外装体上端の肩部材の中央開口の受部に載置する構造の電気貯湯容器が特開２００２−３３０８６９号公報（特許文献１、図１及び図２参照）として存在する。
【０００３】
【特許文献１】特開２００２−３３０８６９号（図１及び図２）
【０００４】
以下、特許文献１の図１及び図２により従来の電気湯沸かし器について説明する。
この特許文献１の電気貯湯容器は、外装ケース１２に囲まれた真空二重容器３を設け、この真空二重容器３を有底筒状に形成して底部を一重壁とし、胴部を内筒１、外筒２からなる真空二重壁として、内筒１の開口７に絞り込み部を大きく設け、開口上端に外側に向けて外鍔３ｄを設けている。更に、外装ケース１２の上端に肩部１６を設け、この肩部１６の中央に上下に貫通で立上り壁１８にて囲まれた開口部を設け、開口部の立上り壁１８の下部に中央内側に向けて延びた環状受部を設け、肩部１６の開口部上端より真空二重容器３を落とし込み、肩部の環状受部上に真空二重容器の外鍔３ｄを載置した後、外装ケースの下端より真空二重容器を締め付け、肩部の開口部内に蓋８を着脱自在に装着した構成としている。
【発明の開示】
【発明が解決しようとする課題】
【０００５】
ところが、この種の電気湯沸かし器では、真空二重容器の内筒１の絞り込み部が狭い区域で極端な鋭角でもって形成されているために、内筒の成形が難しく、絞り込み部の鋭角な個所に熱による金属亀裂が生じて、保温力の低下をきたす恐れがあるという問題点があった。しかも、内筒自体の絞り込みにより肩部の開口部に着脱自在に装着する蓋の下面を絞り込み部より下方に大きく下げることができないために、蓋の上下幅を広くすることができなく、蓋による開口部での保温性を向上することができないという問題点もあった。
【０００６】
又、真空二重容器は、外筒２の外径を外鍔３ｄよりも大きくして肩部の開口部上方より落とし込んで、開口部に長さのある胴体を通さなければならないために、組立時の手間が煩わしい作業となるという問題点があった。
【課題を解決するための手段】
【０００７】
本発明は、有底筒状で底部を一重壁、胴部を内壁３ａと外壁３ｂとで真空二重壁とし、口元を内側中央に向けて狭め口元より延びたフランジ部３ｄを備える内容器３を設け、内容器３の底部外壁周りに固定するヒータ７を設け、内容器３の胴部を囲む外装ケース２を設け、外装ケース２の下端に内容器の底部を覆う底部材４を設け、外装ケース２の上端に内容器の上部を覆う肩部材５を設け、肩部材５の中央を上下に開口し、この中央開口を形成する周壁の下端に中央に向けて延びた環状受部１０を設け、肩部材５の上端に内容器の口元を開閉する上蓋２１と下蓋２２と覆板２３とを備える蓋体６を設けた電気湯沸かし器１に於いて、上記内容器３の内壁３ａと外壁３ｂとは、共に口元に向けてなめらかに絞り込んで口元で接合し、口元上端より外側に向けて延びたフランジ部３ｄの外径が外壁３ｂの外径よりも小さい径とする一方、肩部材５の環状受部１０上にシールパッキン２０を介して載置し、環状受部１０上の蓋体６の覆板２３と下蓋２２と上蓋と下蓋との間の断熱材２５とが内容器３内へ大きく進入する構成としている。
【発明の効果】
【０００８】
本発明は、従来の問題点を解決したものであって、内容器の内壁と外壁とを口元に向けてなめらかに絞り込んで金属亀裂を生じさせることなく、しかも断熱材を充填した蓋体下面を斜め下方に降下させて、保温効果を向上させることができ、又、内容器の組立作業の手間を大きく減少させて、非常に作業効率の良いものとすることができる。
【発明を実施するための最良の形態】
【０００９】
電気湯沸かし器１は、外装ケース２に囲まれた内容器３と、外装ケース２の下端に結合し、内容器３の底部を覆う底部材４と、外装ケース２の上端に結合し、内容器３の口元を支える肩部材５と、肩部材５の上端中央に着脱自在に装着し、内容器３の口元を開閉する蓋体６と、内容器３内の液体を加温するヒータ７と、内容器３内の液体温度を感知してヒータ７をＯＮ、ＯＦＦする温度調節器８と、内容器内の液体を外部へ吐出する吐出機構９とから構成している。
【００１０】
外装ケース２は、金属製又は合成樹脂製で前面を内側に窪ませた筒状に形成されており、内容器３の胴体が自由に挿通できる大きさの内径を有している。
【００１１】
内容器３は、図３に示すように、ステンレス等の金属製材料にて有底筒状の内壁３ａと内壁３ａよりもわずかに大きな筒状の外壁３ｂとを設け、内壁３ａの底部中央より離れた底部外壁に外壁３ｂの底部を溶着し、内壁３ａの口元に外壁３ｂの口元を溶着して内、外壁間を真空引きして、底部一重で胴部真空二重としている。
【００１２】
内容器３の内壁３ａは、口元に向かって胴体の径よりも小さい径でなめらかに絞り込んで徐々に狭めている。この内壁３ａの口元の内径Ｒ１は、後述のヒ−タ押板１１のスポット溶接個所周りの外径Ｒ２である内容器３の底部の一重壁部分よりも大きい径に形成している。
【００１３】
内容器３の外壁３ｂは、内壁３ａと同様に、口元に向かって胴体の径よりも小さい径でなめらかに絞り込んで徐々に狭めており、口元を内壁３ａの口元外壁と接触溶着させた後外壁３ｂ口元の上端に外側に向けて延びたフランジ部３ｄを設けて、底部を後述の外周底壁３ｈより内壁３ａを包むように真空二重としている。
【００１４】
内壁３ａと外壁３ｂとからなる内容器３の底部は、中央より後述の温度調節器８と接触する温度調節器当接壁３ｅと、温度調節器当接壁３ｅ周りでヒータ７と接触するヒータ当接壁３ｆと、ヒータ押板１１と接触するヒータ押板当接壁３ｇと、二重壁となる外周底壁３ｈとを順次段状に窪ませて形成している。
３ｊは、内容器３内と連通して外部に通じるパイプ状の下筒であって、内壁３ａのヒータ押板当接壁３ｇの前方に垂下している。
【００１５】
内容器３内の液体を加熱するヒータ７は、ヒータ７を覆うヒータカバーと、ヒータカバーと共にヒータ７を内容器３のヒータ当接壁３ｆに固定するヒータ押板１１と、ヒータ押板１１にビス止めされ、ヒータの熱を内容器の底部外側に逃がさない遮蔽板１２とを備えている。
【００１６】
ヒータ７は、中央を空洞としており、内容器３内の液体を沸騰状態まで加熱する湯沸かし用のメインヒータと、保温状態を維持する保温用のサブヒータとの二相を配設して、内容器３のヒータ当接壁３ｆに当接している。
【００１７】
ヒータ押板１１は、中央を切り欠いており、ヒータ押板当接壁３ｇに当接する外周壁の下面にビス用アングルを溶接している。このビス用アングルは、ヒータ押板１１のスポット溶接前の前加工としてヒータ押板に溶接されている。
このヒータ押板１１は、ヒータカバーと共にヒータ７を内容器３のヒータ当接壁３ｆに押しつけた状態で、その周りを内容器のヒータ押板当接壁３ｇに適宜の間隔を隔ててスポット溶接している。
【００１８】
遮蔽板１２は、ヒータ押板１１のビス用アングルにビスにて固定されていて、図１に示すように、ヒータ７の熱が遮蔽板よりも下方へ逃げないようにしている。
【００１９】
外装ケース２の上端に結合した肩部材５は、中央を上下に開口した開口部を設け、開口部の前面に前方に延びた嘴部を設け、開口部の後面にヒンジ部を設けており、開口部を形成する周壁の下部に内側中央に向けて延びた環状受部１０を設けている
【００２０】
この開口部の環状受部１０は、図４乃至図６に示すように、先端に一段低い段部１３を設けており、この段部１３の内径が内容器の外壁３ｂのフランジ部３ｄ外径よりも大きく形成して、内容器のフランジ部３ｄがスムーズに挿通できるようにしている。
この開口部の環状受部１０の内側には、環状受部１０の段状に沿って嵌め込まれる段状型のシールパッキン２０を張設しており、このシールパッキン２０上に内容器３のフランジ部３ｄを当接している。このシールパッキン２０は、ゴム等の弾力性、耐熱性を有する材料にて形成している。この開口部には、肩部材５のヒンジ部に枢支された蓋体６を開閉自在に装着している。
【００２１】
肩部材５の嘴部は、下側から上向きに空洞としており、この空洞内に湯沸かし、保温用のスイッチ、ランプや後述の吐出機構９の吐出パイプ等を収納しており、この嘴部の前方上面に各スイッチや吐出スイッチ等を表示した制御板を設けている。
【００２２】
内容器３の取り付けに際しては、図４乃至図５に示すように、先ず肩部材５の開口部下方より内容器３を押し上げ、開口部の環状受部１０上方に内容器３の口元のフランジ部３ｄを一旦載置する。次に、図５に示すように、段状型のシールパッキン２０を内容器３の口元のフランジ部３ｄ上方より無理嵌めしてフランジ部３ｄ下方へ導く。更に、図６に示すように、肩部材５の環状受部１０の段部１３に向けてシールパッキン２０を嵌め込んだ後に、一旦押し上げた内容器３のフランジ部３ｄを押し下げて、シールパッキン２０上に載置する。その後、後述の底部材４の閉鎖板１５の締め付けによって、内容器３が取り付けられる
【００２３】
肩部材５のヒンジ部に枢支された蓋体６は、上蓋２１と、下蓋２２と、下蓋２２の下面を覆い肩部材５の開口部を閉鎖する金属製の覆板２３と、上蓋２１と下蓋２２との間に充填する断熱材２５と、内容器３の蒸気を外部へ放出する蒸気通路２４とにて構成している。
【００２４】
この肩部材５の覆板２３は、内容器３の口元より内容器内部へ大きく進入しており、覆板２３に伴って下蓋２２も同様に内容器内部へ大きく進入して、蒸気通路２４を除いて充填された断熱材２５も同様に内容器内部へ大きく進入して、蓋体６による保温性を上げている。
【００２５】
内容器３の底部を覆う底部材４は、リング状で合成樹脂製の底板１４と、底板１４の中央開口を閉鎖する金属製の閉鎖板１５とからなっている。
底板１４は、外装ケース２の横断面形状と同一形状の胴部と中央を開口した底部とからなっており、この底部に金属製平板状の閉鎖板１５を被せている。
【００２６】
温度調節器８は、サーミスタ等にて形成されており、内容器３の温度調節器当接壁３ｅに当接して遮蔽板１２に固定保持されている。この温度調節器８は、内容器３内の液温を感知してコンピュータ制御によりヒータ７をＯＮ、ＯＦＦしている。コンピュータ制御する基盤は、内容器３と底部材４間に配置されており、肩部材５の嘴部の前方上面に表示された制御板の操作によって、コンピュータが制御され、ヒータ７や後述の吐出機構９を作動している。
【００２７】
吐出機構９は、図１及び図２に示すように、内容器３内の液体を吸い上げて吐出パイプ１６先端より外部へ排出する連動ポンプ１７と、吐出パイプ１６と連動ポンプ１７との間にあって内容器３内の液量を表示する液量表示パイプ（図示せず）と、液量表示パイプと吐出パイプ１６との間にあって転倒時液量表示パイプ内の液体を止めて吐出パイプ１６からの流出を阻止する転倒流水弁部１８と、内容器３の下筒３ｊと連動ポンプ１７とを連結するジョイントパイプ（図示せず）とからなっている。
【００２８】
このようにして内容器３の口元に近い内径Ｒ１に対して、一重部分のもっとも外側となるヒータ押板当接壁３ｇの外径Ｒ２を小さくしてヒータ押板１１のスポット溶接を確実にすると共に、このヒータ押板当接壁３ｇの内径Ｒ２が小さいにもかかわらず、ヒータ７をメインヒータと、サブヒータとの二相に配置しているので、内容器３内の保温効果と不要な消費電力の供給がコントロールされて、より効率の良い電気湯沸かし器とすることができる。
【００２９】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【図面の簡単な説明】
【００３０】
【図１】本発明実施例の縦断面図。
【図２】本発明実施例の閉鎖板を除いた底面図。
【図３】本発明実施例の内容器の縦断面図。
【図４】本発明実施例の内容器の組立前を示す一部説明図。
【図５】本発明実施例の内容器の載置前を示す一部説明図。
【図６】本発明実施例の内容器の載置状態を示す一部説明図。
【符号の説明】
【００３１】
１…電気湯沸かし器
２…外装ケース
３…内容器
３ａ…内壁
３ｂ…外壁
３ｄ…フランジ部
３ｅ…温度調節器当接壁
３ｆ…ヒータ当接壁
３ｇ…ヒータ押板当接壁
３ｈ…外周底壁
３ｊ…下筒
４…底部材
５…肩部材
６…蓋体
７…ヒータ
８…温度調節器
９…吐出機構
１０…環状受部
１１…ヒータ押板
１２…遮蔽板
１３…段部
１４…底板
１５…閉鎖板
１６…吐出パイプ
１７…連動ポンプ
２０…シールパッキン
２１…上蓋
２２…下蓋
２３…覆板
２４…蒸気通路
２５…断熱材
Ｒ１…口元の内径
Ｒ２…底部の一重部分の外径
【図１】
2006102338.tif 000003
【図２】
2006102338.tif 000004
【図３】
2006102338.tif 000005
【図４】
2006102338.tif 000006
【図５】
2006102338.tif 000007
【図６】
2006102338.tif 000008